(57)【要約】【課題】スタック間の圧力変化にバラツキが少なく、また効率的に熱エネルギー及び電気エネルギーを回収することが可能な燃料電池スタック及び燃料電池システムを提供する。【解決手段】燃料電池スタックは、略同一平面上に配設される、高分子膜と電極の接合体群と、前記接合体群のそれぞれの電極を支持する電極支持体群と、前記電極支持体群の、高分子膜を挟んだ一方の側の電極支持体を介して前記接合体に水素を供給する水素供給手段と、他方の側の電極支持体を介して前記接合体に酸素を供給する酸素供給手段と、を有する。【選択図】  図３
2004241198.tif 000002
【特許請求の範囲】
【請求項１】
略同一平面上に配設される、高分子膜と電極の接合体群と、
前記接合体群のそれぞれの電極を支持する電極支持体群と、
前記電極支持体群の、高分子膜を挟んだ一方の側の電極支持体を介して前記接合体に水素を供給する水素供給手段と、
他方の側の電極支持体を介して前記接合体に酸素を供給する酸素供給手段と、を有することを特徴とする燃料電池スタック。
【請求項２】
前記接合体群が、１枚の高分子膜に複数の電極が貼付されて構成されることを特徴とする燃料電池スタック。
【請求項３】
前記水素供給手段及び酸素供給手段のそれぞれは、
前記電極の大きさに合わせて一方向に並行した複数の長孔を有する流路形成板と、
前記長孔に対して垂直方向に並行し、その一部が外部と連通している複数の長溝を有する支持体と、
を備えていることを特徴とする請求項１または２記載の燃料電池スタック。
【請求項４】
前記支持体が、絶縁体であることを特徴とする請求項３記載の燃料電池スタック。
【請求項５】
前記電極支持体の周囲に、シール部材を配設したことを特徴とする請求項１乃至４のいずれかに記載の燃料電池スタック。
【請求項６】
系統連系電圧のピーク電圧の１．１倍〜１．５倍の直流電圧を出力することを特徴とする請求項１乃至５のいずれかに記載の燃料電池スタック。
【請求項７】
請求項１乃至６のいずれかに記載の燃料電池スタックと、
前記燃料電池スタックを内部に収容する貯湯槽と、
前記貯湯槽に一定の水が貯留されるように給水する給水手段と、
前記貯湯槽内に貯留された温水を前記貯湯槽外へ取り出す給湯手段と、
を有することを特徴とする燃料電池システム。
【発明の詳細な説明】
【０００１】
【発明の属する技術分野】
本発明は、水素と酸素から電力を取り出す燃料電池スタック及びその燃料電池を用いた燃料電池システムに関する。
【０００２】
【従来の技術】
近年、水素と酸素から水を生成する反応を利用して電気を生成する、いわゆる燃料電池が提案され、各種研究開発が行われている。燃料電池を構成する１つの燃料電池セルにおいて、反応により生じる水素電極と酸素電極間の電位差は、通常１Ｖ弱程度である。したがって、実用上は複数の燃料電池セルを積層して直列に接続することにより燃料電池スタックを構成し、電圧を所望のレベルに調整して用いられる。このような燃料電池を開示している先行技術文献としては、以下のようなものが挙げられる。
【０００３】
【特許文献１】
特開２００１−６７１５  （図１）
【０００４】
特許文献１は、電極と高分子膜の接合体からそれぞれ構成される複数の燃料電池セルが積層方向積層されて構成された燃料電池スタックを開示している。特許文献１では、各燃料電池セルの各部材にボルトが挿通される貫通孔が形成されており、ボルトにより締め付けることによって各燃料電池セル間及び燃料電池セル内の各層間の密着を保つように構成している。
【０００５】
【発明が解決しようとする課題】
しかしながら、燃料電池スタックを家庭用電源として交流２００Ｖ連系に必要な電圧を確保するためには、２８２Ｖ以上望ましくは３５０Ｖ程度の直流電圧を得る必要がある。特許文献１において、このような電圧を得るためには、４００〜５００セル以上の積層が必要となる。このように膨大な数のセルが積層方向に積層されたスタックをボルトにより共締めすると、スタック全体の温度が変化したときに、共締め用のボルト、電極部材および各セルを仕切るセパレータの温度膨張係数の差異により、スタック間及び層間の圧力変化が顕著になってしまう。これにより、共締め初期に想定されたシール用の締め付け圧力及び各層間の電気的接触に適した圧力で各層間を締め付けることができないという問題がある。
【０００６】
また、層の数が膨大であるため、セパレータ自身に歪みがあると各セルを均一に締め付けることができない。したがって、燃料電池の各セル間の発電能力に大きなバラツキが生じやすくなってしまい、既定の出力が得られないおそれがある。
【０００７】
また、各セル間に配置されるセパレータは、導電性を有している必要があるため、セパレータ用素材のコストが上昇してしまい、燃料電池スタックのコストが高くなってしまう。また、セパレータが導電性であるため、安全面及び漏電を考慮して、セパレータを外界から絶縁しなければならず、コストアップの要因となる。
【０００８】
また、特許文献１の燃料電池スタックは、多数のセルを積層方向に積層しているため、スタック表面からの放熱量が少なく、熱が内部にこもってしまい、セル内部で不均一な温度分布が生じてしまう。このような温度分布は、セル内での発電能力にバラツキが生じ、高分子膜での発電効率が低下してしまう。
【０００９】
本発明は、上記諸問題に鑑みてなされものであり、燃料電池セル間の圧力変化にバラツキが少なく、また効率的に熱エネルギー及び電気エネルギーを回収することが可能な燃料電池スタック及び燃料電池システムを提供することを目的とする。
【課題を解決するための手段】
【００１０】
本発明の請求項１記載の燃料電池スタックは、略同一平面上に配設される、高分子膜と電極の接合体群と、前記接合体群のそれぞれの電極を支持する電極支持体群と、前記電極支持体群の、高分子膜を挟んだ一方の側の電極支持体を介して前記接合体に水素を供給する水素供給手段と、他方の側の電極支持体を介して前記接合体に酸素を供給する酸素供給手段と、を有することを特徴とする。
【００１１】
本発明の請求項１記載の燃料電池スタックによれば、高分子膜と電極の接合体群は、略同一平面上に配設されており、電極支持体を介して接合体に供給される水素及び酸素をもとに発電を行う。したがって、接合体を積層方向に積層することなく燃料電池スタックを構成することができ、多数の燃料電池セルを並べる場合であっても、積層方向に積層される層（部材）の数が少なくてすむ。よって、共締め初期に想定されたシール用の締め付け圧力及び各層間の電気的接触に適した圧力で各層間を共締めすることが可能となり、常に安定した性能を引き出すことが可能となる。
【００１２】
また、本発明の請求項１記載の燃料電池スタックによれば、積層される層の数を少なくすることができるので、発熱する電極表面からスタック表面までの距離を短くすることが可能となる。したがって、熱が内部にこもることなく、効率的且つ安定的な発電及び放熱を行うことが可能となる。
【００１３】
本発明の請求項２記載の燃料電池スタックは、請求項１記載の燃料電池スタックであって、前記接合体が、１枚の高分子膜に複数の電極が貼付されていることを特徴とする。
【００１４】
本発明の請求項２記載の燃料電池スタックによれば、１枚の高分子膜に複数の電極が貼付されているので、容易に接合体群を略同一平面上に配設することが可能となる。また、部品点数が減少するので、容易に接合体を組み付けることが可能となり、組み付け作業効率が向上する。
【００１５】
本発明の請求項３記載の燃料電池スタックは、請求項１または２記載の燃料電池スタックであって、前記水素供給手段及び酸素供給手段のそれぞれは、前記電極の大きさに合わせて一方向に並行した複数の長孔を有する流路形成板と、前記長孔に対して垂直方向に並行し、その一部が外部と連通している複数の長溝を有する支持体と、を備えていることを特徴とする。
【００１６】
本発明の請求項３記載の燃料電池スタックによれば、水素及び酸素は、流路形成板に形成された複数の長孔を介して水素及び酸素を一方向に供給し、支持体に形成された複数の長溝を介して長孔に対し垂直方向に供給される。したがって、それぞれ一方向に形成された長溝または長孔を有する２種の構造物を重ね合わせるだけで、燃料電池スタック内の多方向に水素及び酸素を効率的に流し、安定して電極に水素及び酸素を供給することができる。
【００１７】
本発明の請求項４記載の燃料電池スタックは、請求項３記載の燃料電池スタックであって、前記支持体が、絶縁体であることを特徴とする。
【００１８】
本発明の請求項４記載の燃料電池スタックによれば、支持体の上下に積層方向に電気を通す必要がないので、前記支持体が導電性である必要がない。また、支持体が絶縁体であることにより、略同一平面上に隣接する電極同士がショートするおそれがない。また、支持体により燃料電池スタックの内部と外部が絶縁されるため、燃料電池スタックの外部に漏電することがない。したがって、燃料電池スタックの配置場所等に特に制限を設けることなく、安全に燃料電池スタックを利用することが可能となる。また、従来の燃料電池スタックのように高価な導電性の素材を使用する必要がないため、コストダウンを図ることも可能でなる。
【００１９】
本発明の請求項５記載の燃料電池スタックは、請求項１乃至４のいずれかに記載の燃料電池スタックであって、前記電極支持体の周囲に、シール部材を配設したことを特徴とする。
【００２０】
本発明の請求項５記載の燃料電池スタックによれば、前記電極支持体の周囲に配設されたシール部材により燃料電池スタックの密閉性を高めることができる。これにより、内部から水素及び酸素の漏れのない、また外部から内部にゴミ等の異物、空気、水分等が侵入することのない燃料電池スタックを提供することが可能となる。
【００２１】
本発明の請求項６記載の燃料電池スタックは、請求項１乃至５のいずれかに記載の燃料電池スタックであって、系統連系電圧のピーク電圧の１．１倍〜１．５倍の直流電圧を出力することを特徴とする。
【００２２】
本発明の請求項６記載の燃料電池スタックによれば、系統連系電圧のピーク電圧の１．１倍〜１．５倍の直流電圧を出力するので、昇圧回路等を介して昇圧することなく、後段に接続されたコンバータを用いて直流を交流に変換することにより、系統連系に必要な電圧を系統に出力することが可能となる。
【００２３】
本発明の請求項７記載の燃料電池システムは、請求項１乃至６のいずれかに記載の燃料電池スタックと、前記燃料電池スタックを内部に収容する貯湯槽、前記貯湯槽に一定の水が貯留されるように給水する給水手段と、前記貯湯槽内に貯留された温水を前記貯湯槽外へ取り出す給湯手段と、を有することを特徴とする。
【００２４】
本発明の請求項７記載の燃料電池システムによれば、貯湯槽内部に供給された水を燃料電池スタックからの排熱により直接加温することが可能となる。この加温された水（湯）を取り出して利用することにより、発電と同時に発生する熱を効率的に変換し、水を加温するコジェネレーションシステムとしての燃料電池システムを容易に構成することが可能となる。
【００２５】
【発明の実施の形態】
以下、図面を参照しながら、本発明に係る燃料電池スタック及び燃料電池システムの実施の形態について説明する。
【００２６】
（第１実施形態）
以下、図１乃至図５を参照しながら、本発明に係る第１実施形態の燃料電池スタックを詳細に説明する。図１は、本実施形態の燃料電池スタックの上面図であり、図２は、同燃料電池スタックの側面図であり、図３は、燃料電池スタックの分解斜視図であり、図４は、薄膜電極集積体を示す上面図であり、図５は、薄膜電極集積体の部分拡大図である。
【００２７】
本実施形態の燃料電池スタック１は、後述する複数の構成部材が一方向に積層されて構成されたほぼ直方体形状の燃料電池であり（以下、各構成部材が積層される方向を単に「積層方向」と呼ぶ）、この複数の構成部材を貫通する複数の貫通孔１０１を介してボルト１０２及びナット１０３により複数箇所共締めされたものである（図１及び図２参照）。本実施形態の燃料電池スタック１は、電極間の電解質として高分子ポリマーが用いられた高分子固体電解質型燃料電池（ＰＥＦＣ）である。
【００２８】
図３に示すように、燃料電池スタック１は、支持体１０上に流路形成板２０、陰極支持体３１，３２，３３（電極支持体群３０）、ゴムパッキン４０、薄膜電極集積体５０、ゴムパッキン６０、陽極支持体７１，７２，７３（電極支持体群７０）、流路形成板８０、そして支持体９０を順に積層した構造を有している。
【００２９】
以下、燃料電池スタック１を構成する各部材について順に説明を行う。
【００３０】
燃料電池スタック１の積層方向両端に配置された支持体１０，９０は、平面視ほぼ長方形状を有し、これら支持体１０，９０間に配置される各種構成部材を狭持し、支持体１０，９０間の各種機能層を保護する最外壁である。支持体１０，９０は、絶縁性の素材で構成されており、支持体１０，９０間の構成部材と外部とを絶縁している。
【００３１】
支持体１０の内側面には、水素を支持体長手方向に流す流路として機能する溝１，１２が並行に形成されている。そして、この溝１１の一端は、支持体長手方向の一端面に設けられた流入口１３と連通しており、流入口１３から水素を溝１１に供給可能に構成されている。また、溝１２の一端は、支持体長手方向の他端面（流入口１３とは反対側）に設けられた排出口１４と連通しており、排出口１４から水素を排出可能に可能に構成されている。また、支持体１０には、溝１１及び溝１２が形成された領域から外れた位置に、貫通孔１０１の一部を構成する複数の挿通孔１０１ａがそれぞれ設けられており、ボルト１０２を挿通できるように構成されている。
【００３２】
一方、支持体９０の内側面には、空気を支持体長手方向に流す流路として機能する溝９１，９２が、支持体１０の溝１１，１２と同様に形成されている。溝９１の一端は、支持体長手方向の一端面に設けられた流入口９３と連通しており、流入口９３から空気を溝９１に供給可能に構成されている。また、溝９２の一端は、支持体９０の長手方向他端面に設けられた排出口９４と連通しており、排出口９４から空気を排出可能に可能に構成されている。また、支持体９０には、溝９１及び溝９２が形成された領域から外れた位置に、貫通孔１０１の一部を構成する複数の挿通孔１０１ｇが設けられている。
【００３３】
支持体１０の内側面上に配置された流路形成板２０は、絶縁部材で構成された板状部材である。支持体１０及び流路形成板２０の各接触面は、鏡面仕上げとされており、支持体１０と流路形成板２０との間から溝１１，１２を流れる水素が燃料電池スタック１の外部に漏れないように重ね合わせられている。また、流路形成板２０には、支持体１０の複数の挿通孔１０１ａに対応した位置に、貫通孔１０１の一部を構成する複数の挿通孔１０１ｂがそれぞれ設けられており、ボルト１０２を挿通できるように構成されている。
【００３４】
流路形成板２０には、それぞれ複数のスリット２１からなる複数のスリット群２２，２３，２４が所定間隔おきに形成されている。各スリット群２２，２３，２４を構成するスリット２１は、それぞれが支持体１０の溝１１，１２とほぼ直交して交差する長孔に構成されており、支持体１０の溝１１と溝１２とを連通している。また、各スリット群２２，２３，２４を構成するスリット２１は、支持体１０側とは反対側に配置される陰極支持体３１，３２，３３の略矩形形状に対応した領域に開口している。
各スリット２１は、スリット群２２，２３，２４の陰極支持体側が、陰極支持体３１，３２，３３によりそれぞれ覆われている。これにより、支持体１０の流入口１３から流入した水素が溝１１から流路形成板２０のスリット２１を介して各陰極支持体３１，３２，３３まで流れる。すなわち、支持体１０及び流路形成板２０は、各陰極支持体３１，３２，３３に水素を供給する水素供給手段を構成している。
【００３５】
流路形成板２０上に配置された陰極支持体３１，３２，３３は、多孔性の物質で構成されており、スリット２１を介して流入する水素を積層方向に通過させる（図４及び図５参照）。これにより、水素は、後述する陰極５２ａ，５２ｂ，５２ｃとの界面まで流れる。
本実施形態における水素流路とは、流入口１３から流入した水素が溝１１からスリット２１及び各陰極支持体３１，３２，３３を介して陰極５２ａ，５２ｂ，５２ｃとの界面までの流路およびスリット２１から溝１２を介して排出口１４までの流路を指す。
【００３６】
また、陰極支持体３１，３２，３３は、導電性の部材であり、この陰極支持体３１，３２，３３に対して流路形成板２０と反対側に隣接配置された陰極５２ａ，５２ｂ，５２ｃと面接触し、電気的に接続されている。陰極支持体３１，３２，３３は、陰極５２ａ，５２ｂ，５２ｃ及び流路形成板２０と接触する領域から張り出した突起部３１ａ，３２ａ，３３ａを有しており、後述の燃料電池セル１ａ，１ｂ，１ｃにおける陰極端子としてそれぞれ機能し、電気的接続が容易に構成されている。
【００３７】
また、支持体９０の内側面上に配置された流路形成板８０は、流路形成板２０と同様に絶縁部材で構成された板状部材である。支持体９０及び流路形成板８０の各接触面は、鏡面仕上げとされており、支持体９０と流路形成板８０との間から溝９１，９２を流れる空気が燃料電池スタック１の外部に漏れないように重ね合わせられている。また、流路形成板８０には、支持体９０の複数の挿通孔１０１ｇに対応した位置に、貫通孔１０１の一部を構成する複数の挿通孔１０１ｆがそれぞれ設けられており、ボルト１０２を挿通できるように構成されている。
【００３８】
流路形成板８０には、複数のスリット８１からなる複数のスリット群８２，８３，８４が所定間隔おきに形成されている。各スリット群８２，８３，８４を構成するスリット８１は、それぞれ支持体９０の溝９１，９２とほぼ直交して交差しする長孔に構成されており、支持体９０の溝９１と溝９２とを連通している。また、スリット群８２，８３，８４を構成するスリット８１は、支持体９０とは反対側に配置される陽極支持体７１，７２，７３の略矩形形状に対応した領域に開口している。
各スリット８１は、各スリット群８２，８３，８４の陰極支持体側が陽極支持体７１，７２，７３によりそれぞれ覆われている。これにより、支持体９０の流入口９３から流入した空気が溝９１から流路形成板８０のスリット８１を介して各陽極支持体７１，７２，７３まで流れる。すなわち、支持体９０及び流路形成板８０は、各陰極支持体４１，４２，４３に空気とともに酸素を供給する酸素供給手段を構成している。
【００３９】
流路形成板８０上に配置された陽極支持体７１，７２，７３は、多孔性の物質で構成されており、スリット８１を介して流入する空気を積層方向に通過させ、後述する陽極５３ａ，５３ｂ，５３ｃとの界面まで流す（図４及び図５参照）。
本実施形態における空気流路（酸素流路）は、流入口９３から流入した空気が溝９１からスリット８１及び各陽極支持体７１，７２，７３を介して陽極５３ａ，５３ｂ，５３ｃとの界面までの流路およびスリット８１から溝９２を介して排出口９４までの流路を指す。
【００４０】
また、陽極支持体７１，７２，７３は、導電性の部材であり、陽極支持体７１，７２，７３に対して流路形成板８０と反対側に隣接配置された陽極５３ａ，５３ｂ，５３ｃと面接触し、電気的に接続されている。陽極支持体７１，７２，７３は、図１に示すように、陽極５３ａ，５３ｂ，５３ｃ及び流路形成板８０と接触する領域から張り出した突起部７１ａ，７２ａ，７３ａを有しており、後述の燃料電池セル１ａ，１ｂ，１ｃにおける陽極端子として機能し、電気的接続が容易に構成されている。
【００４１】
陰極支持体３１，３２，３３と陽極支持体７１，７２，７３との間には、薄膜電極集積体５０がゴムパッキン４０とゴムパッキン６０とに狭持された状態で配置されている。
【００４２】
ゴムパッキン４０は、シリコンゴム等を素材としてなる弾性部材であり、陰極支持体３１，３２，３３及び流路形成板２０上に配置される。ゴムパッキン４０は、ボルト１０２の締結時に、その締結力により挟まれて積層方向に適宜つぶされる。この結果、水素流路が燃料電池スタック１の外界から封止され、気密に保たれる。
ゴムパッキン４０には、陰極支持体３１，３２，３３に対応した位置に陰極５２ａ，５２ｂ，５２ｃのサイズ及び形状に応じた開口４１，４２，４３がそれぞれ設けられており、後述する陰極５２ａ，５２ｂ，５２ｃと陰極支持体３１，３２，３３とがそれぞれ面接触するように構成されている。また、ゴムパッキン４０には、流路形成板２０の挿通孔１０１ｂに対応した位置に、貫通孔１０１の一部を構成する複数の挿通孔１０１ｃがそれぞれ設けられており、ボルト１０２を挿通できるように構成している。
【００４３】
ゴムパッキン６０は、ゴムパッキン４０と同様にシリコンゴム等を素材としてなる弾性部材であり、陽極支持体７１，７２，７３及び流路形成板８０上に配置される。ゴムパッキン６０は、ボルト１０２の締結時にその締結力により挟まれて積層方向に適宜つぶされる。この結果、空気流路が燃料電池スタック１の外界から封止され、気密に保たれる。
ゴムパッキン６０には、陽極支持体７１，７２，７３に対応した位置に陽極５３ａ，５３ｂ，５３ｃのサイズ及び形状に応じた開口６１，６２，６３がそれぞれ設けられており、後述する陽極５３ａ，５３ｂ，５３ｃと陽極支持体７１，７２，７３とがそれぞれ面接触するようにしている。また、ゴムパッキン６０には、流路形成板８０の挿通孔１０１ｆに対応した位置に、貫通孔１０１の一部を構成する挿通孔１０１ｅが設けられており、ボルト１０２が挿通されるを挿通できるように構成している。
【００４４】
薄膜電極集積体５０は、ＭＥＡ（Ｍｅｍｂｒａｎｅ  Ｅｌｅｃｔｒｏｄｅ  Ａｓｓｅｍｂｌｙ）と呼ばれ、図３及び図４に示すように、固体高分子膜５１の両面に陰極５２ａ，５２ｂ，５２ｃ（図３には図示せず）と陽極５３ａ，５３ｂ，５３ｃが互いに対応して配置されたものである。陰極５２ａ，５２ｂ，５２ｃは、それぞれがゴムパッキン６０の開口４１，４２，４３内に位置し、陰極支持体３１，３２，３３にそれぞれ面接触している。同様に、陽極５３ａ，５３ｂ，５３ｃは、それぞれがゴムパッキン６０の開口６２，６３，６４内に位置し、陽極支持体４０，４１，４２とそれぞれ面接触している。
【００４５】
ここで、薄膜電極集積体５０は、固体高分子膜５１とその両面に対応して配置されて対をなす陰極５２ａ及び陽極５３ａとからなる接合体、固体高分子膜５１とその両面に対応して配置されて対をなす陰極５２ｂ及び陽極５３ｂとからなる接合体、ならびに、固体高分子膜５１とその両面に対応して配置されて対をなす陰極５２ｃ及び陽極５３ｃとからなる接合体が、同一平面上に配設された接合体群である。
本実施形態では、固体高分子膜を共通として、その両面にそれぞれ複数の陰極および陽極を互いに対応して配置させる構造としているが、別々の固体高分子膜にそれぞれ陰極および陽極を設けて構成される複数の接合体を略同一平面上に配設する構造であってもよい。
【００４６】
陰極５２ａ，５２ｂ，５２ｃは、それぞれ固体高分子膜５１上に、スクリーン印刷等により塗布形成されている。陰極５２ａ，５２ｂ，５２ｃは、多孔質膜であって、陰極支持体３１，３２，３３を通過した水素を通過させて陰極５２ａ，５２ｂ，５２ｃと固体高分子膜５１との界面まで通すように構成されている。
【００４７】
陰極５２ａ、５２ｂ、５２ｃと固体高分子膜５１との界面には、図５に示すように、白金，白金合金、白金を含む混合物等からなる触媒１１０が分散されている。陰極５２ａ，５２ｂ，５２ｃ内を通ってきた水素は、この界面で触媒１１０を介して水素イオンと電子に電離する。生成された水素イオンは、固体高分子膜５１に、そして電子は、陰極支持体３１，３２，３３にそれぞれ移動する。
【００４８】
固体高分子膜５１は、パーフルオロスルホン酸系等の高分子電解質ポリマーを素材として構成された薄膜である。陰極５２ａ，  ５２ｂ，５２ｃとの界面で生成された水素イオンは、固体高分子膜５１内を通って、陽極５３ａ，５３ｂ，５３ｃとの界面に移動する。
この固体高分子膜５１は、隣接する電極間（例えば５２ａと５３ｂ間、５２ｂと５３ｃ間）には水素イオンをほとんど伝導することはなく、実質的に隣接する電極間は絶縁されている。
【００４９】
陽極５３ａ，５３ｂ，５３ｃは、陰極同様に、それぞれ固体高分子膜５１上に、スクリーン印刷等により塗布形成されている。陽極５３ａ，５３ｂ，５３ｃは、多孔質膜であって、陽極支持体７１，７２，７３を通過した空気（酸素）を通過させて、陽極５３ａ，５３ｂ，５３ｃと固体高分子膜５１との界面まで酸素を通す。
また、陽極５３ａ，５３ｂ，５３ｃには、陽極支持体７１，７２，７３を介して流入した電子が流れ込む。酸素は、この界面にて水素イオンと流れ込んだ電子と共に反応し、水が生成される。
【００５０】
ここで、燃料電池スタック中で発電を行うために必要な部材の最小集合体を燃料電池セルであるとする。具体的には、固体高分子膜を介して対向する２つの電極を１つの接合体として、接合体と、その接合体の陰極に水素を供給する水素流路の構成部材と、その接合体の陽極に空気とともに酸素を供給する酸素流路の構成部材とを有して燃料電池セルが構成される。
【００５１】
本実施形態では、燃料電池セル１ａは、固体高分子膜５１とその両面に配置された一対の陰極５２ａ及び陽極５３ａとからなる接合体（薄膜電極集積体５０の一部）と、陰極支持体３１と、陽極支持体７１と、流路形成板２０，８０と、支持体１０，９０とを有して構成される。ここで、固体高分子膜５１，流路形成板２０，８０及び支持体１０，９０については、陰極５２ａ及び陰極５３ａの厚さ方向に対応する部位が燃料電池セル１ａに対応する。
【００５２】
また、燃料電池セル１ｂは、固体高分子膜５１とその両面に配置された一対の陰極５２ｂ及び陽極５３ｂとからなる接合体（薄膜電極集積体５０の一部）と、陰極支持体３２と、陽極支持体７２と、流路形成板２０，８０と、及び支持体１０，９０とを有して構成される。ここで、固体高分子膜５１，流路形成板２０，８０及び支持体１０，９０については、陰極５２ｂ及び陰極５３ｂの厚さ方向に対応する部位が燃料電池セル１ｂに対応する。
【００５３】
同様に、燃料電池セル１ｃは、固体高分子膜５１とその両面に配置された一対の陰極５２ｃ及び陽極５３ｃとからなる接合体（薄膜電極集積体５０の一部）と、陰極支持体３３と、陽極支持体７３と、流路形成板２０，８０と、支持体１０，９０とを有して構成される。ここで、固体高分子膜５１，流路形成板２０，８０及び支持体１０，９０については、陰極５２ｃ及び陰極５３ｃの厚さ方向に対応する部位が燃料電池セル１ｃに対応する。
【００５４】
燃料電池セル１ａ，１ｂ，１ｃは、図１，図２及び図３に示すように、各構成部材の積層方向と略垂直な平面上に配列された構造、すなわち積層方向と略垂直な一方向に併設された構造となっている。
【００５５】
ここで、ボルト１０２を挿通する複数の貫通孔１０１は、図１、図２及び図３に示すように各燃料電池セル１ａ，１ｂ，１ｃの各領域の四隅に対応して設けられている。ボルト１０２の締結は、薄膜電極集積体５０内部の電気抵抗及び薄膜電極集積体５０と陰極支持体３１，３２，３３及び陽極支持体７１，７２，７３との接触部の電気抵抗が適当となるような圧力で行われる。
【００５６】
したがって、押しつけ圧力が大きすぎると、薄膜電極集積体５０が機械的に破壊されてしまい、また押しつけ圧力が小さすぎると薄膜電極集積体５０内部の電気抵抗または接触部の電気抵抗が大きくなってしまうので、出力電圧が低下してしまう。
また、ボルト１０２の締結は、ゴムパッキン４０，６０が適当な量つぶれることにより所定の封止能力を発揮できる程度の強さで行う。ここでは、ボルト１０２のそれぞれの締結力を適宜変更することにより、各燃料電池セル１ａ，１ｂ，１ｃ毎に圧力調整を行うことができる。
【００５７】
また、図１及び図２に示すように、陰極支持体３１の突起部３１ａと陽極支持体７２の突起部７２ａ、及び陰極支持体３２の突起部７２ａと陽極支持体７３の突起部７３ａは、それぞれ配線１０４により電気的に接続されている。このように、隣接するセルの陰極支持体と陽極支持体は、順次外部配線により接続され、各燃料電池セル１ａ，１ｂ，１ｃは電気的に直列に接続されている。また、スタック長手方向の両端に位置する突起部７１ａと３３ａは、それぞれが配線１０５により外部に接続され、突起部７１ａと突起部３３ａ間の電圧が出力される直流電圧として取り出される。
【００５８】
本実施形態では、燃料電池セルが３個の場合について説明を行ったが、実際には、用いられる電圧を出力するために必要な個数だけ複数の燃料電池セルを積層方向とは垂直な一方向に配置して用いる。例えば、一つの燃料電池セルが１Ｖの電圧を生じさせる場合には、家庭用で用いる場合、少なくとも１４１個または２８２個以上の燃料電池セルを配置し、１００Ｖ交流または２００Ｖ交流を生成することとなる。ここで、好ましくは、燃料電池スタック１は、下流側に接続される系統連系電圧のピーク電圧の１．１倍〜１．５倍の電圧を出力するように構成することが好ましく、また１．２５倍であることがさらに好ましい。このような電圧を出力することにより、後段に接続されるＤ／Ａ変換回路は、昇圧のためのＤＣ／ＤＣコンバータが不要となり、回路構成が簡略化される。ここで、系統連系電圧のピーク電圧とは、商用の１００Ｖ交流の場合、最大電圧（約１４１Ｖ）を指す。
【００５９】
次に、本実施形態の燃料電池スタック１を用いた発電について説明する。
【００６０】
まず、水素が流入口１３から供給される。供給された水素は、溝１１からスリット２１を介して溝１２に流れる過程で、陰極支持体３１，３２，３３に送られる。陰極支持体３１，３２，３３に達した水素は、陰極支持体３１，３２，３３及び陰極５２ａ，５２ｂ，５２ｃを積層方向に通過して、陰極５２ａ，５２ｂ，５２ｃと固体高分子膜５１との界面まで移動する。そして、陰極５２ａ，５２ｂ，５２ｃと固体高分子膜５１との界面に分散された触媒１１０によって電離し、水素イオンと電子に分かれる。
【００６１】
上述の水素の流入と同時に、空気が流入口９３から供給される。供給された空気は、溝９１からスリット８１を介して溝９２に流れる過程で、陽極支持体７１，７２，７３に送られる。陽極支持体７１，７２，７３に達した空気は、陽極支持体７１，７２，７３及び陽極５３ａ，５３ｂ，５３ｃを積層方向に通過して、陽極５３ａ，５３ｂ，５３ｃと固体高分子膜５１との界面まで移動する。そして、空気中の酸素が、陰極側で生成され電位差（電圧）により陽極支持体７１，７２，７３を介して流入した電子と、陰極側から固体高分子膜を通過して流入した水素イオンと共に反応し、水が生成される。
燃料電池スタック１は、この各燃料電池セル１ａ，１ｂ，１ｃでの反応過程において生じる電圧を取り出すことにより発電を行う。
【００６２】
以上、本実施形態によれば、複数の燃料電池セル１ａ，１ｂ，１ｃを有する燃料電池スタック１は、各燃料電池セル１ａ，１ｂ，１ｃの積層方向中央に配設される接合体が略同一平面上に配設された構造となっており、また燃料電池スタック１は、それぞれが燃料電池セル１ａ，１ｂ，１ｃの四隅をボルト１０２及びナット１０３により適当な圧力で固定されている。
したがって、ボルト１０２による締結力を各燃料電池セル１ａ，１ｂ，１ｃ毎に容易に調節することが可能であり、燃料電池セルの性能向上及び封止能力向上のための締結力を容易に最適化することが可能である。特に、数百個以上の燃料電池セルを積層する従来のスタック構造では、千枚程度の層が存在するため各層間の圧力を均一化させることが困難であったが、本実施形態の燃料電池スタックは、たかだか数枚程度の層をボルトにより締結するため、容易に層間の圧力を最適化することが可能である。また、燃料電池スタックの使用による径年変化により、最適な圧力値がスライドしても、締結力を適宜調整することにより、容易に最適な圧力値に変更してやることが可能である。
【００６３】
また、本実施形態によれば、１枚の固体高分子膜５１に複数の電極が貼付されるので、容易に接合体群を略同一平面上に配設することが可能となる。また、固体高分子膜５１を各燃料電池セル１ａ，１ｂ，１ｃ間で共有することにより、部品点数が減少するので、容易に電極を組み付け接合体を構成することが可能となり、組み付け作業効率が向上する。
【００６４】
また、本実施形態によれば、水素及び酸素は、支持体１０，９０に形成された複数の溝１１，１２，９１，９２及び流路形成板２０，８０に形成された複数のスリット２１，８１を介して水素及び酸素を陰極支持体３１，３２，３３及び陽極支持体７１，７２，７３にそれぞれ供給される。したがって、燃料電池スタック１内の水素流路及び空気流路（酸素流路）に沿って水素及び酸素を循環させることにより、各電極に円滑に水素及び酸素を供給することが可能となる。
【００６５】
また、本実施形態によれば、支持体１０，９０及び流路形成板２０，８０が絶縁体であるため、略同一平面上に隣接する電極同士がショートするおそれがない。また、支持体１０，９０により燃料電池スタック１の内部と外部が容易に絶縁されるので、燃料電池スタック１の外部に漏電することがない。したがって、燃料電池スタック１の配置場所等に特に制限を設けることなく、安全に燃料電池スタック１を利用することが可能となる。また、従来のように高価な導電性の素材を用いて支持体を構成する必要がないため、燃料電池スタックの製造コストを削減することも可能である。
【００６６】
また、本実施形態によれば、ゴムパッキン４０，６０がつぶされて燃料電池スタック１の内部を外部から封止することにより燃料電池スタック１の密閉性の高めることができる。これにより、燃料電池スタック１の内部から水素及び酸素の漏れのない、また燃料電池スタック１の外部から内部にゴミ等の異物、空気、水分等が侵入することのない燃料電池スタック１を提供することが可能となる。
【００６７】
なお、本実施形態では、固体高分子膜５１の両側面にのみゴムパッキンを配置したが、これに限られるものではなく、例えば、支持体１０，９０と流路形成板２０，８０の間、流路形成板２０，８０と陰極支持体３１，３２，３３または陽極支持体７１，７２，７３との間にゴムパッキンを挟み、シール能力を高めるように構成してもよい。
【００６８】
また、流路形成板２０，８０を排し、支持体１０の溝１１及び溝１２または支持体９０の溝９１及び溝９２を接続し連通する複数の縦溝を支持体１０，９０に形成することにより、水素流路及び空気流路をそれぞれ形成するようにしてもよい。
【００６９】
また、燃料電池スタック１の層間の締め付けは、ボルト１０２とナット１０３以外の各種締結手段を用いて行ってもよい。例えば、支持体１０，９０の両側面を万力やクリップ等の各種締結手段を用いて締め付けてもよい。
【００７０】
（第２実施形態）
以下、図６を参照しながら、本発明に係る第２実施形態の燃料電池スタックを説明する。なお、以下の説明では、第１実施形態において既出の構成要素については、重複を避けるため説明を省略する。
【００７１】
図６は、本発明に係る第２実施形態の燃料電池スタック２を示す分解斜視図である。燃料電池スタック２は、第１実施形態における燃料電池スタック１の構成から陰極支持体３１，３２，３３及び陽極支持体７１，７２，７３およびゴムパッキン６０，４０を排し、さらに薄膜電極集積体５０を以下に説明する薄膜電極集積体１２０で置き換えたものである。
【００７２】
すなわち、薄膜電極集積体１２０は、固体高分子膜１２１の両面に陰極１２２と陽極１２５、陰極１２３と陽極１２６、及び陰極１２４と陽極１２７とをそれぞれ対応して配置したものである。陰極１２２，１２３，１２４は、それぞれ流路形成板２０のスリット群２２，２３，２４を介して水素を受け取り可能に配置されている。一方、陽極１２５，１２６，１２７は、それぞれ流路形成板８０のスリット群８２，８３，８４を介して空気を受け取り可能に配置されている。
【００７３】
固体高分子膜１２１は、第１実施形態に記載の固体高分子膜５１よりも厚く、弾性変形可能に構成されている。また、固体高分子膜１２１は、流路形成板２０の挿通孔１０１ｂに対応した位置に複数の挿通孔１０１ｈがそれぞれ設けられており、ボルト１０２を挿通可能に構成されている。すなわち、固体高分子膜１２１は、ボルト１０２による締結によって流路形成板２０及び８０間に挟まれたときに（組立状態で）、ボルト１０５の締結力により所定量つぶされて、水素流路及び空気（酸素）流路を外界からシールするシール部材（第１実施形態のゴムパッキン４０，６０）の役割を兼ねるように構成されている。
【００７４】
各電極１２２，１２３，１２４，１２５，１２６，１２７は、それぞれが固体高分子膜１２１の上端縁から張り出した突起部１２２ａ，１２３ａ，１２４ａ，１２５ａ，１２６ａ，１２７ａをそれぞれ有している。このように構成されることで、隣接する燃料電池セルの突起部同士が外部配線により接続することができ、第１実施形態と同様に各燃料電池セル間が直列に接続されるように構成されている。本実施形態では、第１実施形態と異なり、電極１２２，１２３，１２４，１２５，１２６，１２７は、陰極支持体３１，３２，３３および陰極支持体７１，７２，７３を備えていないので、所定の厚みを持ち突起部１２２ａ，１２３ａ，１２４ａ，１２５ａ，１２６ａ，１２７ａの破壊を免れる程度の強度を有していることが好ましい。
【００７５】
本実施形態によれば、固体高分子膜１２１がゴムパッキンの役割を果たし、また陰極支持体３１，３２，３３及び陽極支持体７１，７２，７３を用いることなく、隣接する電極間の接続を行うようにした。このような構成を採ることにより、部品点数を減らすことが可能であるので、燃料電池スタックの製作工数を減らすことが可能となる。
【００７６】
（第３実施形態）
以下、図７及び図８（ａ），（ｂ）を参照しながら、本発明に係る第３実施形態の燃料電池スタックを説明する。なお、以下の説明では、既出の構成要素については、重複を避けるため説明を省略する。
【００７７】
図７は、本発明に係る第３実施形態の燃料電池スタック３を示す分解斜視図である。燃料電池スタック３は、第２実施形態の燃料電池スタック２の薄膜電極集積体１２０を薄膜電極集積体１３０で置き換えたものである。
【００７８】
薄膜電極集積体１３０は、固体高分子膜１３１の両面に陰極１３２と陽極１３５、陰極１３３と陽極１３６、及び陰極１３４と陽極１３７とをそれぞれ対応して配置したものである。陰極１３２，１３３，１３４は、流路形成板２０のスリット群２２，２３，２４を介して水素を受け取り可能にそれぞれ配置されている。一方、陽極１３５，１３６，１３７は、それぞれ流路形成板８０のスリット群８２，８３，８４を介して空気を受け取り可能に配置されている。
【００７９】
固体高分子膜１３１は、第２実施形態に記載の固体高分子膜１２１と同様に弾性変形可能に構成されている。また、固体高分子膜１２１は、流路形成板２０の挿通孔１０１ｂに対応した位置に複数の挿通孔１０１ｈがそれぞれ設けられており、ボルト１０２を挿通可能に構成されている。すなわち、固体高分子膜１３１は、ボルト１０２による締結によって流路形成板２０及び８０間に挟まれたときに（組立状態で）、ボルト１０２の締結力により所定量つぶされて、水素流路及び空気（酸素）流路を外界からシールするシール部材（第１実施形態のゴムパッキン４０，６０）の役割を兼ねるように構成されている。
【００８０】
図８（ａ）は、本実施形態の電極集積体１３０の表裏両面を便宜上示す説明図であり、図８（ｂ）は、本実施形態の電極集積体１３０の一部拡大斜視図である。固体高分子膜１３１には、積層方向に貫通する貫通孔１４１，１４２，１４３，１４４が燃料電池セル毎に形成されている。
【００８１】
本実施形態では、図８（ｂ）において拡大して示すように、陰極１３２に連続して設けられた接続部１３２ａと隣接する燃料電池セルの陽極１３６に連続して設けられた接続部１３６ａとが貫通孔１４２を介して接続されており、また陰極１３３に連続して設けられた接続部１３３ａと隣接する燃料電池セルの陽極１３７に連続して設けられた接続部１３７ａとが、貫通孔１４３を介して接続された構造となっている。このように、本実施形態では、隣接する燃料電池セル間の陽極と陰極同士は、固体高分子膜１３１内、すなわち燃料電池スタック２内部で電気的に直列に接続されている。
【００８２】
以上、本実施形態によれば、隣接する燃料電池セル同士は、燃料電池スタック内部で直列に接続されているので、電極支持体等の突起部を露出させることなく、また外部配線を用いることなく、燃料電池セル間を電気的に接続することが可能である。
【００８３】
なお、上記説明においては、貫通孔１４２内で接続部１３２ａ及び１３６ａが貫通孔１４２の一部を埋めるように接続されているが、貫通孔１４２内に接続部１３２ａ及び１３６ａを圧入して貫通孔をすべて埋めるように構成してもよい。
【００８４】
（第４実施形態）
以下、図９及び図１０を参照しながら、本発明に係る第４実施形態の燃料電池システムを説明する。なお、以下の説明では、既出の構成要素については、重複を避けるため説明を省略する。
【００８５】
図９は、本発明に係る第４実施形態の燃料電池システム２００を示す図である。燃料電池システム２００は、例えば、家屋に隣接または家屋内に設置される家庭用のコジェネレーションシステムとして用いられるものである。
【００８６】
この燃料電池システム２００は、水素を生成する水素供給手段としての水素発生装置２１０と、内部に水（湯）２２２を貯留する貯湯槽２２０と、貯湯槽２２０に一定の水（湯）２２２が貯留されるように給水する給水機２２３と、貯湯槽２２０内に貯留され、温められた水（湯）２２２を貯湯槽２２０外へ取り出す給湯機２２５と、貯湯槽２２０内の水（湯）２２２内に固定配置された燃料電池スタック１（２，３）と、燃料電池２３０から出力される直流出力を交流出力に変換し、商用電源系統に出力する変換回路２６０とを備えている。
【００８７】
水素発生装置２１０は、燃料電池スタック１（２，３）が発電を行うときに原料の一つとして用いる水素を発生させる装置である。水素発生装置２１０の水素発生方式としては、メタン、プロパン、ブタン等の飽和炭化水素またはメタノール等の不飽和炭化水素を改質して水素を発生させる方式、ガソリンを改質して水素を発生させる方式、天然ガスを改質して水素を発生させる方式、ベンゼン、ナフタレン等の芳香族化合物の水素化誘導体から水素を得る方式等があり、各種方式を用いて水素を得るように構成してもよい。
【００８８】
また、水素発生装置２１０としては、高圧容器に水素を直接貯蔵したもの、水素吸蔵合金タンクに水素を貯蔵したもの、高圧の液体水素タンクに液体水素を貯蔵したもの等で構成することも可能である。
この水素発生装置２１０は、発生させた水素を燃料電池スタック１（２，３）に供給する。また、水素発生装置２１０で発生した熱は、図示せぬ熱交換器等を介して熱エネルギーとして取り出すことも可能である。例えば、水素発生装置２１０で発生した熱を用いて、次述の貯湯槽２２０の水（湯）を温めるようにしても良い。
【００８９】
貯湯槽２２０は、その内部に水（湯）２２２を蓄えた水槽であり、本燃料電池システムの排熱回収システムの一部を構成している。貯湯槽２２０の内部には、燃料電池スタック１（２，３）が水（湯）２２２の中に沈められて収納されている。
ここで、貯湯槽２２０内の水（湯）２２２中に沈められる燃料電池スタック１（２）は、燃料電池スタック１（２）から露出している突起部３１ａ，３１ｂ，３１ｃ，７１ａ，７１ｂ，７１ｃが、水（湯）２２２に濡れないようにカバー部材で覆われている。また、燃料電池スタック１（２，３）は、層間から水（湯）２２２が燃料電池スタック１（２，３）の内部に侵入しないようにするため、側面及び下面についても、プレート、シール部材等で覆われて構成されている。
燃料電池スタック１（２，３）は、発電により生じた熱をその表面から周囲の水（湯）２２２に放熱して水（湯）２２２と直接熱交換を行い、水の温度を上昇させる。これにより、燃料電池スタック１（２，３）の発電により生じた熱エネルギーが貯湯槽内の水の運動エネルギーとして蓄えられる。
【００９０】
貯湯槽２２０には、給水管２２４を介して、貯湯槽２２０に水を給水する給水機２２３と、給湯管２２６を介して貯湯槽２２０内部で昇温され温められた水（湯）を貯湯槽２２０の外部に取り出す給湯機２２５が隣接して取り付けられている。また、貯湯槽２２０内部には、水２２２の水位を測るセンサ２２７が設けられている。給水機２２３は、センサ２２７によって測定された貯湯槽２２０内部の水位に応じて、適宜水を貯湯槽２２０内に供給し、貯湯槽２２０内部の水量が常に一定となるように保つ。給湯機２２５は、外部からの給湯指示に応じて貯湯槽２２０内部の湯を取り出し、家屋内部等に供給し、湯として利用できるようにする。
【００９１】
変換回路２６０は、燃料電池スタック１（２，３）が出力した直流を家庭内に供給された商用の系統電力電圧に応じて、交流に変換する変換器である。この変換回路２６０から出力された交流出力は、家屋内の配線を経由して家屋内外に設置された様々な電気製品に供給される。
【００９２】
図１０は、変換回路２６０を示すブロック図である。変換回路２６０は、インバータ回路２６１と、連系保護回路２６２とを備えている。
【００９３】
インバータ回路２６１は、燃料電池スタック１（２，３）から出力された直流電流を交流電流に変換する回路である。ここで、インバータ回路２６１は、燃料電池スタック１（２，３）から系統連系電圧の１．１〜１．５倍の電圧が送られてくることを前提に設計されており、前段に昇圧用のＤＣ／ＤＣコンバータ等は有しておらず、燃料電池スタック１（２，３）からの直流をそのまま交流に変換し、後段の連系保護装置２６２を介して外部に出力する。
【００９４】
連系保護装置２６２は、系統側（出力側）及びインバータ回路２６１からの出力電圧の異常を検出し、異常時にはインバータ回路２６１を停止させるとともに、系統との連系を速やかに遮断することにより、系統側の安全を確保する装置である。その他、連系保護装置２６２は、出力周波数の上昇・低下の検出、過不足電圧の検出をはじめ、配電線の停電検出（単独運転検出）等を行う。
【００９５】
以上、本実施形態の燃料電池システム２００によれば、燃料電池スタック１（２，３）は、貯湯槽２２０内の水２２２内に沈められており、発電時の発熱を直接水に伝導する。したがって、熱交換器等の熱交換用の特別な装置を介すことなく直接水を温め湯とすることができるので、構造の複雑かを回避できる。また、燃料電池スタック１（２，３）は、熱交換機等を用いることなく、水２２２と直接熱交換を行うので、熱変換効率が高く、発生した熱を無駄なく用いて、効率的に水を温めて湯とすることができる。
【００９６】
また、燃料電池スタック１（２，３）は、系統連系電圧の１．１〜１．５倍の電圧を出力するように構成されている。したがって、変換回路２６０に昇圧回路としてのＤＣ／ＤＣコンバータを設けることなく、インバータを構成することが可能となる。このように、燃料電池スタック１（２，３）の出力電圧を予め、系統連系電圧の１．１〜１．５倍と設定しておくことにより、昇圧回路が不要となり、インバータの回路構成を簡素化しインバータのコストダウンを図るが可能となる。
【００９７】
上記燃料電池システム２００は、家庭用であるとして説明を行ったが、適用範囲はこれに限らず、商業用、工業用等の燃料電池システムとして各種用途に適用することが可能である。
【００９８】
【発明の効果】
本発明によれば、高分子膜と電極の接合体群は、略同一平面上に配設されており、電極支持体を介して接合体に供給される水素及び酸素をもとに発電を行う。したがって、接合体を積層方向に積層することなく燃料電池スタックを構成することができ、多数の燃料電池セルを並べる場合であっても、積層方向に積層される層の数が少なくてすむ。よって、共締め初期に想定されたシール用の締め付け圧力及び各層間の電気的接触に適した圧力で各層間を共締めすることが可能となり、常に安定した性能を引き出すことが可能となる。
【図面の簡単な説明】
【図１】本発明に係る第１実施形態の燃料電池スタックの上面図である。
【図２】本発明に係る第１実施形態の燃料電池スタックの側面図である。
【図３】本発明に係る第１実施形態の燃料電池スタックの分解斜視図である。
【図４】本発明に係る第１実施形態の薄膜電極集積体の上面図である。
【図５】本発明に係る第１実施形態の薄膜電極集積体の部分拡大図である。
【図６】本発明に係る第２実施形態の燃料電池スタックを示す分解斜視図である。
【図７】本発明に係る第３実施形態の燃料電池スタックを示す分解斜視図である。
【図８】本発明に係る第３実施形態の薄膜電極集積体を示す図であり、（ａ）は、薄膜電極集積体の両面を示す説明図であり、（ｂ）はその拡大斜視図である。
【図９】本発明に係る第４実施形態の燃料電池システムを示す図である。
【図１０】本発明に係る第４実施形態の変換回路を示すブロック図である。
【符号の説明】
１，２，３  燃料電池スタック
１０，９０  支持体
２０，８０  流路形成板
３１，３２，３３  陰極支持体
４０，６０  ゴムパッキン
５０，１２０，１３０  薄膜電極集積体
５１，１２１，１３１  固体高分子膜
５２ａ〜５２ｃ，１２２〜１２４，１３２〜１３４  陰極
５３ａ〜５３ｃ，１２５〜１２７，１３５〜１３７  陽極
７１，７２，７３  陽極支持体
２００    燃料電池システム
２１０  水素発生装置
２２０  貯湯槽
２２２  水
２２３  給水機
２２４  給水管
２２５  給湯機
２２６  給湯管
２２７  センサ
２６０  変換回路
２６１  インバータ回路
２６２  連系保護回路
【図１】
2004241198.tif 000003
【図２】
2004241198.tif 000004
【図３】
2004241198.tif 000005
【図４】
2004241198.tif 000006
【図５】
2004241198.tif 000007
【図６】
2004241198.tif 000008
【図７】
2004241198.tif 000009
【図８】
2004241198.tif 000010
【図９】
2004241198.tif 000011
【図１０】
2004241198.tif 000012